(57)【要約】【課題】選択できるスイッチを設けることで、設置場所別のセンサーを選択可能とし、又、寝たきりの人が移動することなく、その場から外部へ連絡出来ることを可能とする。【解決手段】設置センサー１８を選択できる複数のスイッチ６a,６b,６cを設け、設置場所別のセンサーを選択する。又、スイッチボタン、マイク,スピーカー,接続判別表示を装備した介護・独居老人対策機器２３を装置本体１と接続する。【選択図】      図３
2004206189.tif 000002
【特許請求の範囲】
【請求項１】
センサーの検知で警報を鳴らし、電話通報する防犯装置において、防犯装置に複数のセンサー用接続端子を装備し、使用目的によって、防犯装置に各々に対応したスイッチで選択できる手段を備えたことを特徴とする装置。
【請求項２】
前記防犯装置において、防犯装置とスイッチボタン，マイク，スピーカー，接続判別表示を装備した装置を、脱着自由なケーブルで接続し、防
犯装置から離れた位置から操作できる手段を備えたことを特徴とする装置。
【請求項３】
前記防犯装置において、防犯装置とスイッチボタン，マイク，スピーカー，接続判別表示を装備した装置を、ワイヤレスによって操作できるようにしたことを特徴とする装置。
【請求項４】
前記防犯装置において、緊急ボタン用接続部を装備し、複数箇所に設置した緊急ボタンを作動できる手段を備えたことを特徴とする装置。
【請求項５】
前記防犯装置において、本体制御部と電話制御部とを分離して構成したことを特徴とする装置。
【発明の詳細な説明】
【０００１】
【発明が属する技術分野】
本発明は、センサーによりドアや窓の開閉を検知し、警報を発すると同時に、指定した電話に通報し、また、緊急ボタンを押すことにより電話通報する防犯対策と、呼び出しボタン，マイク，スピーカー，接続判別表示付のユニットを防犯装置に接続できるようにして介護、独居老人対策とした防犯装置に関するものである。
【０００２】
【従来の技術】
従来の防犯装置は、不在時に侵入者があった時、警報を鳴らしたり、指定された連絡先へ通報するものがほとんどであり、在宅時侵入された時などの外部への連絡が考慮されていない。
【０００３】
在宅時には、人感センサーの使用はできない。又他のセンサーでも、在宅中セットした場合、その都度防犯装置のON/OFFの作業が必要なため、防犯装置者のほとんどが在宅中は、防犯装置のスイッチをOFFにしている。このため、昨今防犯装置を設置しているにも拘らず、在宅中の侵入盗による犯罪が増えている。
【０００４】
従来の防犯装置にケーブルで接続装備されている緊急ボタンは、介護・独居老人対策，緊急連絡を目的として装備はされていたが、警報を鳴らしたり、設定された連絡先への通報であった。従来の会話交信できる装置でも、送信者側の状況を伝えるためには、防犯装置本体の近くまで行かなければならない問題があった。
【０００５】
又、従来防犯装置の内部構成は、センサーで検知し警報音等を作動する本体制御部と、通報し相互通話等を行う電話制御部が一体化した構成の装置になっている。
【０００６】
【発明が解決しようとする課題】
不在時の侵入者に対する防犯と、在宅時の侵入者に対する防犯と共用できる防犯装置がなかった。
【０００７】
在宅時、侵入者があった時、防犯装置から離れた場所で、たとえば階段、居間等各部屋から簡単な手段での外部への通報手段がなかった。
【０００８】
介護・独居老人対策としての緊急ボタンは被介護者が防犯装置から離れた部屋等にいる時は、外部への緊急通報だけで被介護者がどのような状況にあるのか連絡できない問題があった。
【０００９】
防犯装置の故障時、本体制御部のトラブルか、電話制御部のトラブルか容易に解析できない問題等があった。
【００１０】
本発明は、以上の欠点を解決するためになされたものである。
【００１１】
【問題を解決する手段】
本発明に係る防犯装置は、本体制御部と電話制御部から構成されている。
【００１２】
本体制御部はドアや窓、或いは室内に設置された各種センサーのON→OFF信号を受けとる複数のセンサー接続端子を有し、且つ外部緊急ボタン用接続端子、回転灯・サイレン等の警報用機器を接続できる外部出力接続端子の接続端子類と、介護・独居老人用機器コネクター、ACアダプタ用コネクター，警報ブザー，ON/OFFスイッチ，バックアップ用電池等から構成されている。
【００１３】
又、電話制御部は、連絡先入力用１０キー，表示管，スピーカー，マイクと電話回線入出力コネクター等から構成されている。
【００１４】
センサー接続端子に接続されるセンサーには、本体制御部より微小電流が流れており、センサーがON→OFFになると警報ブザーが鳴ると同時に電話制御部を介して、予め設定されている電話番号を呼び出し通報する。
【００１５】
本発明に係る防犯装置は、複数のセンサー接続端子に各々に対応したON/OFFスイッチを設け、複数のセンサー接続端子を、例えばドア用，１階窓用，２階窓用，人感センサー用等とセンサーの接続を分けることによって、在宅中はON/OFFスイッチの選択で、防犯に必要なセンサーを選ぶことができるようにした。
【００１６】
又、本体制御部の緊急ボタン用接続端子と、階段、居間等の各部屋に設置した緊急ボタンを接続することによって在宅時の侵入者があった時、設置した緊急ボタンによって外部へ通報できるようにした。
【００１７】
又、本体制御部に介護・独居老人対策機器用コネクターを設け、スイッチボタン，マイク，スピーカー，接続判別用表示を設けた装置のコネクターとケーブルで接続することにより、予め設定された連絡先へ通報し、会話ができるようにした。
【００１８】
又、装置間のコネクター間をケーブルで接続することにより、両装置の設置距離が短い場合、長い場合によってケーブルの長さを選択できるようにした。
【００１９】
本発明に係る防犯装置は、本体制御部と電話制御部を基板上で分離構成し、本体制御部からの信号で電子制御部を作動させる方式にすることで、故障時の解析を容易にできるようにした。
【００２０】
【発明の実施の形態】
本発明の実施の形態について説明する。
【００２１】
図1は、本考案の実施例を示す防犯装置の正面外観図を示す。装置本体１には開閉できる操作部カバー２，端子部カバー３が設けられている。
【００２２】
操作部には通報先の電話番号を入力する１０キー４，入力番号等を表示する表示管５，接続端子のセンサーを選択できるドアセンサースイッチ６a，センサー１スイッチ６b，センサー２スイッチ６cが設けられている。
【００２３】
更に、装置本体１には、装置全体をON/OFFするキースイッチ７，非常時に操作する非常ボタン８，電源ON/OFF等の表示、通報中等を表示するLED９が設けられている。
【００２４】
又、操作本体１の周囲の音を集音する集音マイク１０，警報を発する警報ブザー１１，通報先からの音声を伝えるスピーカー１２が配備されている。
【００２５】
装置本体１の下部には、電話回線の入力用コネクター１３a，出力コネクター１３b，端子１４（センサー・緊急ボタン・外部出力）を装備している。
【００２６】
図２は、装置本体１の側面を示す。装置本体１の側面には、介護・独居老人対策機器２３（図４）接続用コネクター１５を装備している。
【００２７】
図３は、本発明による防犯装置システムの構成を示す。装置本体１は本体制御部１６と電話制御部１７から構成されている。
【００２８】
装置本体１の操作部にあるドアセンサースイッチ６aはセンサー端子１４aに接続されている。センサー端子１４aにはドアに設置されているセンサー１８に接続されている。
【００２９】
例えば、1階の複数の窓に設置されたセンサー１８は、センサー端子１４bに接続されており、２階の複数の窓に設置されているセンサー１８は、センサー端子１４ｃに接続されている。各々センサー１スイッチ６b，センサー２スイッチ６cと接続されている。
【００３０】
常に監視を必要とする箇所に設置したセンサー１８は、センサー端子１４dに接続する。
【００３１】
ドアセンサー６a，センサー１スイッチ６b，センサー２スイッチ６cのON/OFFで、ドア、１階、２階の監視又は解除することができる。
【００３２】
装置本体１は、電源をACアダプター１９より入力し、電話回線２０との接続は、電話回線の入力用コネクター１３a接続によって行う。
【００３３】
通報先の電話番号登録は、１０キー４によって表示管５に表示する数値を見ながら入力する。又、登録先の変更・消去等も同様に行う。
【００３４】
センサー用接続端子１４a，１４b，１４c，１４dに接続されたセンサー１８をセット状態にして、キースイッチ７をONすると、本体制御部１６の制御により、例えば１分後より監視状態に入る。又、キースイッチ７のONより、監視状態に入る間警報ブザー１１より警告音が鳴る。
【００３５】
監視状態になるまでの間は本体制御部１６の制御部によりセンサー端子１４aだけに接続されたセンサー１８は、ドアの開閉を行っても検知しない。センサー端子１４b，１４c，１４dに接続されているセンサー１８はドア・窓の開を検知し、警報ブザー１１から発する警告音は100dB以上の警報音に切り替わる。
【００３６】
監視状態に入った後、ドアセンサースイッチ６a，センサー１スイッチ６b，センサー２スイッチ６cが接続された状態の時、センサー端子１４aに接続されているセンサー１８がドアの開閉で検知した時は、例えば１分間の警告音を警報ブザー１１が発する。この間にキースイッチ７をOFFすると装置本体１の電源がOFFになる。
【００３７】
監視状態に入った後、センサー端子１４b，１４c，１４dに接続しているセンサー１８がドアや窓の開閉を検知すると、本体制御部１６が警報ブザー１１を100dB以上の警報音で鳴らすと同時に、電話制御部１７を駆動し、あらかじめ登録されている電話番号へ電話回線２０により通報する。
【００３８】
通報先の相手が受話器を取り、定められた時間の後警報音を止め、装置本体１に装備されているマイク１０，スピーカー１２によって通報先と会話ができる状態になる。
【００３９】
緊急ボタン２１を階段や部屋に設置し、緊急ボタン端子１４eに接続し、緊急ボタン２１がONすると警報を鳴らせ、通報先に電話通報する。
【００４０】
装置本体１には、外部出力端子１４fが設けられてあり、外部のサイレン・スピーカー２２等にセンサー１８の検知信号を送ることができる。
【００４１】
図４において、介護・独居老人対策機器２３は、呼び出しボタン２４、マイク２５，スピーカー２６，接続判別表示用LED２７と、装置本体１と接続するコネクター２８（図５）から構成される。
【００４２】
図６において、介護・独居老人対策機器２３は、コネクター２８と、装置本体１の接続用コネクター１５（図２）を接続ケーブル２９で接続し、使用するので介護・独居老人対策機器２３と、装置本体の位置によって、接続ケーブルの長さを選ぶことができる。
【００４３】
呼び出しボタン２４をONすると図３に示す本体制御部１６，電話制御部１７を介し、あらかじめ登録された電話番号へ通報し、図４，６のマイク２５，スピーカー２６によって通報相手と会話が可能となる。又、呼び出しボタンONで接続判別表示用LED２７がONして、通報先に通報しているのが判る。
【発明の効果】
この発明によれば、特定のドア、１階のドア・窓、２階のドア・窓等センサーの作動をスイッチで選ぶことができるので、在宅中の防犯監視が可能となる。又、呼び出しボタン，マイク，スピーカー，接続判別表示を装備接続した介護・老人対策機器を装置本体とケーブルで接続することができるので、寝たきりの人が寝たままで相手を呼び出し会話ができるようになる。緊急ボタンを階段、各部屋等に設置することで、侵入盗に気付かれず外部連絡できるようになる。
【図面の簡単な説明】
【図１】実施形態の本体正面外観図を示す。
【図２】実施形態の本体側面外観図を示す。
【図３】実施形態の概略構成を示す。
【図４】実施形態の接続装置正面外観図を示す。
【図５】実施形態の接続装置側面外観図を示す。
【図６】実施形態の接続装置構成を示す。
【符号の説明】
１  装置本体
２  操作部カバー
３  端子部カバー
４  10キー
５  表示管
６ａ  ドアセンサースイッチ
６ｂ  センサー1スイッチ
６ｃ  センサー2スイッチ
７  キースイッチ
８  非常ボタン
９  LED
１０  集音マイク
１１  警報ブザー
１２  スピーカー
１３ａ  電話回線入力用コネクター
１３ｂ  電話回線出力用コネクター
１４ａ  センサー端子
１４ｂ  センサー端子
１４ｃ  センサー端子
１４ｄ  センサー端子
１４ｅ  緊急ボタン端子
１４ｆ  外部出力端子
１５  介護・独居老人対策機器用コネクター
１６  本体制御部
１７  電話制御部
１８  センサー
１９  ACアダプター
２０  電話回線
２１  緊急ボタン
２２  サイレン・スピーカー
２３  介護・独居老人対策機器
２４  呼び出しボタン
２５  マイク
２６  スピーカー
２７  接続判別表示用LED
２８  コネクター
２９  接続ケーブル
【図１】
2004206189.tif 000003
【図２】
2004206189.tif 000004
【図３】
2004206189.tif 000005
【図４】
2004206189.tif 000006
【図５】
2004206189.tif 000007
【図６】
2004206189.tif 000008